(57)【要約】【課題】着信に応じて景品が当たる懸賞システムにおいて、着信先にもその結果を報知するようにして、新たな人的コミュニケーションを構築する。【解決手段】内蔵メモリ内に抽選ゲームプログラムを記憶可能とし、当該抽選ゲームプログラムのゲーム結果として得られる抽選結果を、前記携帯電話機の着信と終話の入力に応じて前記表示手段に表示されるように制御する制御手段を備えた携帯電話機において、前記内蔵メモリに対して、前記表示手段に抽選結果を表示するための契機となる着信先を着信先データとして記憶する第１の手段と、前記抽選結果が、その携帯電話機の使用者にとって有利な結果となった場合に、前記表示手段に対して前記着信先への通知を許可するかどうかの確認画面を表示する第２の手段と、前記確認画面に対して前記携帯電話機の入力手段によって前記着信先への通知を許可する入力がなされた場合に、前記着信先データを前記内蔵メモリから読み出して、前記内蔵メモリに予め記憶された所定のメッセージを前記着信先に送信する第３の手段とを具備することを特徴とする。【選択図】          図５
2005005936.tif 000002
【特許請求の範囲】
【請求項１】
内蔵メモリ内に抽選ゲームプログラムを記憶可能とし、当該抽選ゲームプログラムのゲーム結果として得られる抽選結果を、前記携帯電話機の着信と終話の入力に応じて前記表示手段に表示されるように制御する制御手段を備えた携帯電話機において、
前記内蔵メモリに対して、前記表示手段に抽選結果を表示するための契機となる着信先を着信先データとして記憶する第１の手段と、
前記抽選結果が、その携帯電話機の使用者にとって有利な結果となった場合に、前記表示手段に対して前記着信先への通知を許可するかどうかの確認画面を表示する第２の手段と、
前記確認画面に対して前記携帯電話機の入力手段によって前記着信先への通知を許可する入力がなされた場合に、前記着信先データを前記内蔵メモリから読み出して、前記内蔵メモリに予め記憶された所定のメッセージを前記着信先に送信する第３の手段とを具備することを特徴とする携帯電話機。
【請求項２】
携帯電話機の内蔵メモリに記憶され、以下の機能をコンピュータに実行可能なプログラム、
前記携帯電話機の着信と終話に応じて抽選結果として予め前記内蔵メモリに記憶された抽選結果表示データを抽出し、前記表示手段に表示させる機能と、
前記内蔵メモリに対して、前記表示手段に抽選結果を表示するための契機となる着信先を着信先データとして記憶する機能と、
前記抽選結果が、その携帯電話機の使用者にとって有利な結果となった場合に、前記表示手段に対して前記着信先への通知を許可するかどうかの確認画面を表示する機能と、
前記確認画面に対して前記携帯電話機の入力手段によって前記着信先への通知を許可する入力がなされた場合に、前記着信先データを前記内蔵メモリから読み出して、前記内蔵メモリに予め記憶された所定のメッセージを前記着信先に送信する機能とを有することを特徴とするコンピュータに実行可能なプログラム。
【請求項３】
携帯電話機から当該携帯電話機の基地局を介して接続されるサーバであって、携帯電話機から受信した抽選ゲームの抽選結果を、受信先である携帯電話機の識別情報と関連づけて格納して記憶する抽選結果記憶手段と、
前記抽選結果が前記携帯電話機の使用者にとって有利であった場合に、前記携帯電話機から受信される着信先データに対して、当該抽選結果に応じたメッセージ情報を送信する着信先抽選結果送信手段とを具備することを特徴とするサーバ。
【請求項４】
携帯電話機から当該携帯電話機の基地局を介して接続されるサーバであって、携帯電話機から受信した抽選ゲームの抽選結果を、受信先である携帯電話機の識別情報と関連づけて格納して記憶する抽選結果記憶手段を有し、当該抽選結果記憶手段に対して繰り返して記憶された前記識別情報ごとの複数の抽選結果に基づいて統計データ生成プログラムに応じて抽選結果加工データを生成する抽選結果統計処理手段と、当該抽選結果統計処理手段によって生成された抽選結果加工データを、当該抽選結果加工データに関連する携帯電話機に対して送信する抽選結果加工データ送信手段とを具備することを特徴とするサーバ。
【請求項５】
着信及び終話に応じて抽選ゲームプログラムに基づいて得られた抽選結果データを受信する段階と、
前記抽選結果データに基づく景品を、前記抽選ゲームプログラムに関連して記憶手段に記憶される複数種類の景品の中から在庫情報を参照して制御手段が選択する段階と、
前記選択された景品が当たってことを着信先へ通知するか否かの通知信号を受信したことを条件として、前記抽選結果データの受信先から受信した着信先データに基づいて、予め前記記憶手段に記憶された所定のメッセージデータを前記制御手段が送信する段階とを含む、ゲーム制御方法。
【発明の詳細な説明】
【０００１】
【発明の属する技術分野】
この発明は、携帯電話機を利用し、当該携帯電話機の特有の機能である受話／送話機能と、インターネットなどの広域通信回線を融合させた携帯電話機、携帯電話機用ゲームプログラム及び当該ゲームプログラムを利用したサービス提供サーバ並びにゲーム制御方法に関する。
【０００２】
【従来の技術】
従来この種の技術としては、本願発明者と同じ発明者が既に出願した特開２００３−７８５９１号公報の発明が知られている。
【０００３】
この発明では、携帯電話機を利用し、当該携帯電話機の特有の機能である受話／送話機能と、インターネットなどの広域通信回線を融合させた携帯電話機及び当該ゲームプログラムを利用したサービス提供サーバが提案されている。具体的には、前記携帯電話機に他の携帯電話機又は電話機から着信があり、その着信に応じて受話スイッチを入力して会話を行い、終話スイッチを入力することを契機として、抽選ゲームプログラムに基づくスロットなどの抽選ゲーム結果が、前記携帯電話機の表示手段に表示されるように構成している。
【０００４】
【発明が解決しようとする課題】
しかるに、上記従来のものでは、相手から電話をかける又はかかってくるといった電話機能と連携して、抽選ゲームが実行され、その抽選ゲームの結果に応じた景品の提供などのサービスが提供されるものであった。特に、後者の電話が誰かからかかってくると、その着信に応じて抽選ゲームが実行されるようにした場合には、公知のあらゆる懸賞が懸賞で当たる機会が自らの行為に応じたものであるのに対して、他人まかせとなり、自らの努力ではどうにもならない着信がトリガとなって懸賞に当たる機会を与えられるものであるから、今までにない興趣を提供できることになる。
【０００５】
しかし、ある携帯電話機に電話が着信して、その携帯電話機内での抽選ゲームによって当たりが出た場合、その携帯電話機の使用者には利益があるものの、その当たりが出る契機となった電話をかけた側には何らメリットがないといった側面が存在することに本願発明者は着目した。すなわち、電話をかけた人間が相手の待ち受けゲームとして抽選ゲームを設定していることを知っていれば、今、電話をかけた結果を知りたいであろうし、もし、当れば、その当たりの契機となった相手先に対して、当った携帯電話機の使用者が知らせてあげたいといった欲求が生じる可能性が高いと考えたのです。
【０００６】
ところが、単純に、電話がかかってきた相手先の電話番号に自動音声メッセージで通知するのでは、例えば、仕事上の冗談が通用しない相手であったり、会社の代表者番号であった場合には、その当たりの通知が失礼にあたってしまうといった問題が発生する虞がある。
【０００７】
また、別の側面から、ある定められた期間又は条件の間における、前記抽選ゲームの結果を更に利用した新たな興趣性を提供できないかと本願発明者は考えた。
【０００８】
つまり、携帯電話機の電話機能と、抽選機能とのリンクを更に興趣の富んだものとすることをこの発明の目的としている。
【０００９】
【課題を解決するための手段】
このような目的に鑑み、本願発明者は、（１）内蔵メモリ内に抽選ゲームプログラムを記憶可能とし、当該抽選ゲームプログラムのゲーム結果として得られる抽選結果を、前記携帯電話機の着信と終話の入力に応じて前記表示手段に表示されるように制御する制御手段を備えた携帯電話機において、
前記内蔵メモリに対して、前記表示手段に抽選結果を表示するための契機となる着信先を着信先データとして記憶する第１の手段と、
前記抽選結果が、その携帯電話機の使用者にとって有利な結果となった場合に、前記表示手段に対して前記着信先への通知を許可するかどうかの確認画面を表示する第２の手段と、
前記確認画面に対して前記携帯電話機の入力手段によって前記着信先への通知を許可する入力がなされた場合に、前記着信先データを前記内蔵メモリから読み出して、前記内蔵メモリに予め記憶された所定のメッセージを前記着信先に送信する第３の手段とを具備することを特徴とする携帯電話機を提供する。
【００１０】
前記抽選結果が、終話を条件に前記表示手段に表示されるようにしているのは、着信だけを抽選プログラムを実行してその抽選結果を表示する契機とした場合には、その携帯電話機の使用者が良い抽選結果が出るまで、他の電話機を用いて着信だけを繰り返する不正な抽選形態がなされる可能性があるためである。
【００１１】
この発明によれば、携帯電話機の抽選ゲームプログラムによって当たりなどの遊技者にとって有利なゲーム結果となった場合に、その契機となった着信先にそのゲーム結果そのもの又はそのゲーム結果に因んだ情報を所定のメッセージとして通知することができるから、前述した課題に記載したような欲求を満足するような新たな興趣を提供することができる。「そのゲーム結果に因んだ情報」とは、当たった景品を着信先に直接的に通知するのではなく、「○年×月△日  ○時×分の電話有難う」といった情報を通知することで、間接的に何か良いことがあったことの含みをもたせるような情報のことである。
【００１２】
又、前記携帯電話機の内蔵メモリに記憶された抽選プログラム或いは前記第１乃至第３の手段としての役割を担うプログラム（内蔵メモリに対して着信先を記憶させる着信先データ記憶プログラム、着信先への通知を許可するかどうかの確認画面を表示する着信先へのゲーム結果通知可否判定プログラム、着信先へのゲーム結果通知プログラム）は、予め内蔵メモリに対して携帯電話機の製造段階でプレインストールする方法と、インターネット通信回線網などの広域通信回線網を通じて前記内蔵メモリ内にダウンロードさせる方法、コアプログラムをプレインストールしておき、変更される宣伝情報や景品情報などの画像データ（動画データ）をサウンロードさせる方式との３方式があり、以下のプログラムは、上記全ての抽選ゲームに関わるプログラムをダウンロードさせる一塊のプログラムとして扱われるもの、部分的にダウンロードさせて予めプレインストールされたコアプログラムとで実質的に一塊のプログラムとして扱われるもの、全てをプレインストールしてなるものの３方式の全てを含む。
【００１３】
（２）携帯電話機の内蔵メモリに記憶され、以下の機能をコンピュータに実行可能なプログラム、
前記携帯電話機の着信と終話に応じて抽選結果として予め前記内蔵メモリに記憶された抽選結果表示データを抽出し、前記表示手段に表示させる機能と、
前記内蔵メモリに対して、前記表示手段に抽選結果を表示するための契機となる着信先を着信先データとして記憶する機能と、
前記抽選結果が、その携帯電話機の使用者にとって有利な結果となった場合に、前記表示手段に対して前記着信先への通知を許可するかどうかの確認画面を表示する機能と、
前記確認画面に対して前記携帯電話機の入力手段によって前記着信先への通知を許可する入力がなされた場合に、前記着信先データを前記内蔵メモリから読み出して、前記内蔵メモリに予め記憶された所定のメッセージを前記着信先に送信する機能とを有することを特徴とする。
【００１４】
（３）携帯電話機から当該携帯電話機の基地局を介して接続されるサーバであって、携帯電話機から受信した抽選ゲームの抽選結果を、受信先である携帯電話機の識別情報と関連づけて格納して記憶する抽選結果記憶手段と、
前記抽選結果が前記携帯電話機の使用者にとって有利であった場合に、前記携帯電話機から受信される着信先データに対して、当該抽選結果に応じたメッセージ情報を送信する着信先抽選結果送信手段とを具備することを特徴とするサーバ。
【００１５】
この発明によれば、ある携帯電話機で当たりなどの使用者にとって有利な遊技結果となった場合に、その有利な遊技結果が出る契機となった着信先に対して、その有利な遊技結果となった使用者の了解を得て、所定のメッセージを送信することが出来るから、着信先に応じてメッセージを送るかどうかの決定権をその有利な結果を得た使用者に与えて、その着信先へメッセージを送った先に失礼になるなどの問題を回避することができる。また、ペアで旅行の招待などの抽選結果であった場合に、その着信先に対してその抽選結果に応じたメッセージを送信してしまうと、その人と一緒に旅行に行くことを要求される虞があり、それを好ましくないと考える場合には、その着信先に抽選結果に応じたメッセージを送信しないといった選択の余地が広がるといった効果がある。
【００１６】
また、この発明では限定しないが、前記第２の手段が通知を許可するかどうかの入力を促すだけでなく、許可する場合には、どのメセージで送信するかも決定させるようにするために、予め携帯電話機の内蔵メモリに複数の通知メッセージを記憶させておき、この予め記憶させた通知メッセージデータから選択させる機能をプログラムに担わせるようにすることもできる。また、使用者自らが手入力又は音声入力して生成したメッセージデータをサーバを介して、着信先に送信するように構成することも出来るのは勿論である。
【００１７】
次に、（４）の発明では、携帯電話機から受信した抽選結果データを２次利用して、当該抽選結果データに基づく編集データを受信した携帯電話機に返信することを特徴としている。具体的には、（４）携帯電話機から当該携帯電話機の基地局を介して接続されるサーバであって、携帯電話機から受信した抽選ゲームの抽選結果を、受信先である携帯電話機の識別情報と関連づけて格納して記憶する抽選結果記憶手段を有し、当該抽選結果記憶手段に対して繰り返して記憶された前記識別情報ごとの複数の抽選結果に基づいて統計データ生成プログラムに応じて抽選結果加工データを生成する抽選結果統計処理手段と、当該抽選結果統計処理手段によって生成された抽選結果加工データを、当該抽選結果加工データに関連する携帯電話機に対して送信する抽選結果加工データ送信手段とを具備することを特徴とするサーバ。
【００１８】
この発明によれば、ある携帯電話機からサーバが抽選結果を受信すると、その受信された抽選結果を各々の携帯電話機に割付られた携帯電話番号などの識別情報に関連して累積的に記憶しておき、今月の当選本数や獲得景品などを前記携帯電話機の表示手段に一覧で表示可能な前記抽選結果加工データを生成して、この抽選結果加工データを対応する識別情報の携帯電話機に送信するようにしているから、ある定められた期間の間や、今、待ち受け抽選ゲームと設定している期間の間で、前記抽選ゲームでの獲得景品状況などを携帯電話機の使用者が容易に確認することができるとともに、前月との獲得景品の比較などを行ったり、他の携帯電話機の使用者との景品獲得数や獲得景品を比較するなどの統計処理を統計データ生成プログラムに基づいて得ることができるから、従来の懸賞では獲得本数の減少や何名が獲得しているかなど計時的な統計データを得ることができなかったが、この発明によってこのような計時的な情報を使用者に提供でき得る為、新しい興趣を提供できることになる。また、統計データ生成プログラムとしての統計処理結果を、占い結果的な表現で表示可能な抽選結果加工データを生成し、この生成された占い的な抽選結果加工データを抽選結果加工データ送信手段により送信するようにするようにしても良い。すなわち、サーバ内に、累積的に記憶された抽選結果データを統計データ生成プログラムで処理統計処理し、更に、予め記憶された複数の占い結果データから適宜の占い結果データを抽出して携帯電話機に送信するようにすれば、統計加工データと自らの運勢とを関連付けて使用者が認識することができる。このような占いは、携帯電話機の使用者が実際に得た利益に基づいて統計処理されたものとなるから、従来の占いゲームに比べてオリジナリテイのある占い結果とすることができる。
【００１９】
（５）着信及び終話に応じて抽選ゲームプログラムに基づいて得られた抽選結果データを受信する段階と、
前記抽選結果データに基づく景品を、前記抽選ゲームプログラムに関連して記憶手段に記憶される複数種類の景品の中から在庫情報を参照して制御手段が選択する段階と、
前記選択された景品が当たってことを着信先へ通知するか否かの通知信号を受信したことを条件として、前記抽選結果データの受信先から受信した着信先データに基づいて、予め前記記憶手段に記憶された所定のメッセージデータを前記制御手段が送信する段階とを含む、ゲーム制御方法を提供する。
【００２０】
【発明の実施の形態】
以下、図に沿って、この発明を携帯電話機及び当該携帯電話機で接続可能なサーバに適用した一例としての実施の形態について説明する。
【００２１】
図１に示すのは、この発明を適用するシステム構成図であり、図において、１はサービス提供サーバであり、当該サービス提供サーバ１は、インターネット網１０及び基地局１１を介して携帯電話機２０とデータの送受信可能なように構成されている。
【００２２】
前記携帯電話機２０は、他の携帯電話機２０との間で、前記基地局１１を介して通話やメールの交換が可能であり、且つ、基地局１１を介して接続可能な広域通信網としてのインターネット網を通じて、当該インターネット網に接続されているサーバに対して接続可能に構成されている。より具体的には、前記サービス提供サーバ１内には、内部の記憶手段（内部メモリ、又は、内部ハードディスクなど）に予め記憶された抽選ゲームプログラムを具備し、この抽選ゲームプログラムに基づいて進行する抽選ゲームに対して、携帯電話機２０から受信した前記抽選ゲームの抽選結果データを受けてサーバ１は在庫確認の上、どの景品が当ったかを通知するようにしている。この抽選ゲームは、複数の携帯電話機２０による同じ時間軸でのゲームが進行され、前記携帯電話機２０の複数の使用者間で競い合って有限数だけ提供されることを宣言された景品を奪い合うといった環境に設定されている。
【００２３】
携帯電話機２０内にダウンロードされた抽選ゲームには、その抽選ゲームプログラム自体に確率データが組み込まれており、その確率に基づいて、抽選ゲームプログラムのゲーム結果として得られる抽選結果を、前記携帯電話機２０の着信と終話の入力に応じて前記表示手段２２に表示されるように制御するようにしている。つまり、前記抽選結果として表示手段２２に表示される段階では、どのような景品が当ったのかを表示しないで、単に何かがあたったという演出表示が前記表示手段２２に表示されるようにしている。このように構成する目的は、前記予めダウンロードされる抽選プログラムに含まれる確率データ（例えば、乱数発生プログラム、確率テーブルなどの確率値を調整するための各種データ）は、理論的に一応の確率で当たりがでるように設定されるが、それは理論値であって当選本数に必ず終焉するとは限らないため、携帯電話機２０で実行される抽選ゲーム段階では、何かが当ったことを表示手段２２を使用して明示し、その後、当った携帯電話機２２がその当たりを示す抽選結果データをサーバ１に送信して、当該サーバ１内でその時点での景品在庫を確認して、どのような景品を当てたかを携帯電話機２０に対して返信するようにしている。勿論、本発明は、このような構成のものに限定されることなく、景品が無制限に用意できるようなものや、ある程度の誤差が出ても対応できる景品である場合には、予め携帯電話機２０にダウンロードされるか、プレインストールされる確率データに依存して、サーバ１に接続する前にどのような景品が当ったのかを携帯電話機２０の使用者に通知するため、表示手段２２に景品の種類を画像表示することもできる。このような景品として考えられるのは、遊園地の入場券や安価で市販されているものを景品とする場合が考えられる。
【００２４】
また、対象となる景品の本数に応じて頻繁に変更できるように、確率を調整するための確率値制御プログラムを抽選プログラムと分離可能に構成して、前記確率値制御プログラムだけを定期的にサーバ１からのデータ通信によって更新するように構成することも考えられる。
【００２５】
図２に示すのは、前記携帯電話機２０のハード構成図であり、この携帯電話機２０は、制御手段２１を含んでおり、当該制御手段２１には、前記抽選ゲームの抽選結果が表示可能な表示手段２２と、アンテナなどの送受信手段２３と、電話番号や電子メールの文字入力を前記携帯電話機２０の使用者が行うための入力手段２４と、システムプログラムなどが予め記憶されたＲＯＭ２５と、前記抽選ゲームを行うための抽選ゲームプログラム（確率制御プログラムなどの確率データを含む）や、着信又は発信した他の携帯電話機や常設電話などの電話番号などを記憶し、前記記憶した抽選ゲームプログラムや電話番号を前記使用者の入力手段２４の操作によって記憶又は消去することが可能な記憶手段としてのＲＡＭ２６とが接続されている。
【００２６】
また、ＲＡＭ２６には、「あるスポンサーに因んだゲームプログラム」が記憶されている。この「あるスポンサーに因んだゲームプログラム」は、サーバ１からダウンロード可能なように構成しているが、これに限らず予め携帯電話機２０内の記憶手段としてのＲＯＭ２５又はＲＡＭ２６にプレインストールするように構成しても良い。前記「あるスポンサーに因んだ」とは、例えば、宣伝広告のための画像であったり、新製品の製品アピール用の動画や画像としている。
【００２７】
特に、プログラムの改変を防止する目的を追求するのであれば、書き換え付加のマスクＲＯＭに製造過程で記憶させるようにすると良い。また、容易に書き換えることができるように構成する場合には、上記ＲＯＭ２５やＲＡＭ２６をフラッシュメモリで構成して、このメモリ領域を機能的に領域制限して使用するようにすることも可能である。この場合、実質的にＲＯＭ（リードオンリーメモリ）の領域はなくなり、全てのメモリ領域で書換可能となる。
【００２８】
前記システムプログラムには、内蔵メモリ（ＲＡＭ２６）に対して、表示手段２２に抽選結果を表示するための契機となる着信先を着信先データとして記憶する第１の手段として制御手段２１とともに機能する。
【００２９】
そして、前記抽選ゲームプログラムは、制御手段２１とともに、前記抽選結果が、その携帯電話機２０の使用者にとって有利な結果となった場合に、前記表示手段２２に対して前記着信先への通知を許可するかどうかの確認画面を表示する第２の手段と、前記確認画面に対して前記携帯電話機２０の入力手段２４によって前記着信先への通知を許可する入力がなされた場合に、前記着信先データを前記内蔵メモリ（ＲＡＭ２６）から読み出して、前記内蔵メモリ（ＲＡＭ２６）に予め記憶された所定のメッセージを前記着信先に送信する第３の手段として機能する。
【００３０】
前記表示手段２２としては、省電の目的から一般的に携帯電話機２０に使用される液晶表示装置を採用している。また、前記入力手段２４としては、ボタンの表面にアルファベットや数字が標印されメールを作成したり、会話をしたい相手も電話番号を入力するためのキーボタンスイッチ２４Ａと、各種の機能を選択するための多方向スイッチ２４Ｂ、前記抽選の抽選結果データを送信するための専用のゲーム結果送信スイッチ２４Ｃを設けている。前記ゲーム結果送信スイッチ２４Ｃは必須のものではなく、前記キーボタンスイッチ２４Ａや多方向スイッチ２４Ｂを使用して前記ゲーム結果としての抽選結果データをサーバ１に送信するように構成しても良い。
【００３１】
なお、ＪＡＶＡ（登録商標）を搭載した携帯電話機２０においては、通常の電話はオペレーティングシステム及びネイティブソフトウエア（ブラウザ、ネットワーキングコンポーネント、Ｐｈｏｎｅ  Ｄｉａｌｅｒ等）を使用して行われる。これに対して、Ｊａｖａ  Ａｐｐｌｉｃａｔｉｏｎ  Ｍａｎａｇｅｒ（ＪＡＭ）により、ＲＯＭ２５又はＲＡＭ２６に格納されている個々のＪＡＶＡ（登録商標）アプリケーション（ゲームプログラム等）の管理が行われるようになされている。
【００３２】
図３に示すのは、前記サーバ１のハードブロック図である。このサーバ１は、制御手段２と、当該制御手段２には、前記インターネット網１０と接続し電子データの送受信を行うための通信インターフェース３と、携帯電話機２０にダウンロードさせるべき複数の前記抽選ゲームプログラムや広告情報がスポンサーごとに記憶されたデータベース６と、携帯電話機２０から受信した抽選結果データ、着信先データとを各々の携帯電話機２０の電話番号に関連付けて累積的に記憶するユーザデーベース５と、携帯電話機２０受信した抽選ゲームの抽選結果データを受信先である携帯電話機の識別情報（例えば、電話番号）と関連づけて格納して記憶するために機能する第１のプログラムと、前記抽選結果が携帯電話機２０の使用者にとって有利であった場合（当たりであった場合）に、携帯電話機２０から受信される着信先データ（着信先電話番号又はメールアドレス）に対して、前記抽選結果に応じたメッセージ情報を送信するために機能する第２のプログラムと、前記抽選結果を繰り返して記憶された前記識別情報ごとの複数の抽選結果に基づいて抽選結果加工データを生成する統計データ生成プログラムとして機能する第３のプログラムとを記憶する記憶部４とが接続されている。
【００３３】
前記記憶部４には、第１、２、３のプログラムとともに、サーバ１を動作させるための基本プログラムが記憶されている。
【００３４】
前記累積的に記憶される抽選結果データ及び前記抽選結果加工データは、携帯電話機２０の電話番号に関連付けてデータベース５に、サーバ１に接続された各携帯電話機２０ごとのデータとして個別に読み出し可能なように格納されている。このように、受信先の携帯電話機２０の識別情報としての電話番号と関連づけて、前記抽選受ゲームの抽選結果データを記憶するデータベース５が本発明の抽選結果記憶手段に相当する。しかもこのデータベース５には、前記受信先の電話番号の各抽選結果データに関連付けて、前記受信先の携帯電話機２０の記憶手段（ＲＡＭ２６）に記憶されて前記抽選結果データとともに受信される着信先データとしての電話番号又はメールアドレスが記憶される抽選結果に対する着信先記憶手段としての機能も担っている。
【００３５】
前記ユーザデータベース５には、前述した抽選結果データや当該抽選結果データごとに関連付けて記憶される着信先データの他、その携帯電話番号の識別番号と関連づけて住所等や年齢及び性別などのＩＤ情報が記憶されている。前記スポンサーデータベース６に記憶される前記抽選ゲームプログラムは、スポンサーごとに異なるプログラムとなっており、それぞれのスポンサーが提供する景品などを携帯電話機２０の使用者が見て、どの抽選ゲームプログラムをダンロードするかを携帯電話機２０の入力手段２４を用いて決定する。また、前記スポンサーデータベース６に記憶される前記複数種類の抽選ゲームプログラムは、景品の当選本数に応じて夫々異なる確率テーブルが設定されており、さらに、表示手段２２に表示される広告表示画像データに関しても夫々スポンサーごとに異なる画像データが記憶されている。
【００３６】
図４乃至図６に基づいて、抽選ゲームを実行して景品が当たるまでの一連のゲーム制御フローについて説明する。
【００３７】
サーバ１には、データベース６に複数のスポンサーが夫々用意した景品表示情報、当該景品を当たるため抽選ゲームプログラム（宣伝広告のための画像情報を含む）を接続された携帯電話機２０からの遠隔操作で随時ダウンロードできるように待機状態を維持している（ステップＳ１）。
【００３８】
次に、携帯電話機２０の使用者は、待ち受け状態で起動する抽選ゲームプログラムをサーバ１からダウンロードするために、サーバ１に基地局１１及びインターネット等の広域回線網１０を介して接続して、抽選ゲームのダウンロード要求を行う（ステップ２）。
【００３９】
サーバ１の制御手段２が記憶部４に記憶された判定プログラムによって、ダウンロード要求があったことを判定すると（ステップＳ３）、スポンサーデータベース６に記憶された複数種類の抽選プログラムのうちの携帯電話機２０の入力手段２４によって入力選択された一つの抽選プログラムを要求のあった携帯電話機２０に送信する送信処理を実行する（ステップＳ４）。前記通信処理としては、その前段階でデータベース６に記憶された複数種類の抽選プログラムの内の何れかを選択させるための選択画面情報を先に携帯電話機２０に送信してから、その選択画面情報を携帯電話機２０の使用者が視認しながら、入力手段２４によって選択入力させるようにすることもできるが、この実施の形態では、このような通信によるデータの送受信を簡略化するために、予め携帯電話機２０のＲＡＭ２６に前記選択画面情報を記憶させている。そして、この選択画面情報を使用者が視認しつつ入力手段２４によって欲しい景品（どの抽選ゲームに参加するか）を選択すると、自動的にサーバ１に接続されるようなプログラムがＲＡＭ２６に記憶されている。前記選択画面情報や自動接続するためのプログラムは、スポンサーデータベ−ス６の抽選ゲームが変更されたとき、又は、接続すべきサーバ１が変更された時に、サーバ１からユーザデータベース５を参照して、当該データベース５に記憶された識別情報に基づいて複数の携帯電話機２０に接続し、ＲＡＭ２６内の前記選択画面情報や自動接続するためのプログラムを自動更新するようにしている。
【００４０】
ステップＳ４で携帯電話機２０に送信された抽選ゲームプログラムは、携帯電話機２０のＲＡＭ２６に制御手段２１の制御によって自動的に記憶され、携帯電話機２０の使用者は、入力手段２４を操作してＲＡＭ２６に記憶された抽選ゲームプログラムを待ち受け状態で起動するプログラムにセット入力する。このセット入力があったことを、制御手段２１がＲＯＭ２５の記憶手段に記憶された判定プログラムを基に判定すると、制御手段２１は、待ち受け時に起動状態を維持する抽選ゲームとしてセット処理を実行する（ステップＳ７）。このセット処理が完了した後に、その待ち受け状態で他からの電話が着信すると、抽選ゲームプログラムによって表示手段２２に宣伝広告画像情報が表示されることになる（ステップＳ８）。勿論、その着信から受話ボタン（入力手段２４）を入力するまでの着信音楽を宣伝広告用の音楽として更に宣伝効果を向上させることも可能である。前記宣伝広告用の音楽とは、キャンペーン商品や企業のイメージソングなどがこれに相当する。
【００４１】
ステップＳ８で、抽選ゲームプログラムのセットが終了すると、その後は、携帯電話機２０の着信待機状態を維持する（ステップＳ９）。
【００４２】
次に他の携帯電話機又は常設電話機から着信があったことを携帯電話機２０の制御手段２１がＲＯＭ２５に記憶された着信プログラムに基づいて判定すると（ステップＳ１０：Ｙ）、次に、制御手段２１は、ＲＯＭ２５の着信先記憶処理プログラムによって、ＲＡＭ２６にその着信先電話番号の記憶処理を実行する（ステップＳ１１）。
【００４３】
そして、携帯電話機２０の使用者が終話ボタンスイッチ２４Ａ（入力手段２４）を入力したことを制御手段２１が記憶手段であるＲＯＭ２５に記憶されて終話プログラムに基づいて判定すると（ステップＳ１２：Ｙ）、抽選ゲーム演出画像表示処理を実行する（ステップＳ１３）。この抽選ゲーム演出画像表示処理とは、予めダンロードされて記憶手段としてのＲＡＭ２６に記憶された抽選ゲームプログラムに含まれる宣伝画像情報と当該宣伝画像情報の動画表示とともに、図示しないスピーカで企業のイメージソングを発する処理である。このイメージソングデータは、この実施の形態の場合には、前記抽選ゲームプログラムに含まれている。
【００４４】
そして、ステップＳ１２の表示処理するとともに、制御手段２１は、抽選プログラムに基づいて抽選処理を実行する（ステップＳ１４）。この抽選処理は、スロットマシンやパチンコなどの抽選処理と同じ技術を応用することができるもので、この実施の形態では、抽選ゲームプログラムに含まれる確率テーブルに基づいて乱数を発生させているが、これに限らず、ソフト乱数でもハード乱数でも適用できることは言うまでもない。
【００４５】
次に、ステップＳ１４における抽選処理の結果を、制御手段２１が抽選ゲームプログラムに基づいて表示手段２２に表示する（ステップＳ１５）。この時に、この実施の形態では、複数種類の景品が当たるように設定した懸賞であることを予め使用者に通知して抽選ゲームプログラムをダウンロードさせるべく、前記選択画面に複数の当たる可能性のある景品を表示する画像データを用いて表示するようにしている。つまり、前記抽選結果の表示は、「何かが当たりました！」とか「景品Ａ，Ｂ，Ｃの何れかが当りました」といった抽選結果の表示が行われる。このように景品が複数種類用意されていない場合には、「先着○×様の景品が当たる権利を獲得しました、早くサーバにアクセスして所定の手続きをしてみてください」といった抽選結果の表示をすることも可能である。このような配慮は、前述したようにサーバ１内のデータベース６に予め記憶された景品数を超えないように制御手段２により制御するためである。
【００４６】
一方で携帯電話機２０の内部的には、制御手段２１が抽選ゲームプログラムに基づいて当たりがハズレを判定し（ステップＳ１６）、当たりの場合（使用者にとって有利なゲーム結果であった場合）、当たりのデータ（抽選結果データ）を前記着信先データ及び送信先データとともに、サーバ１に送信する（ステップＳ１７）。この送信ステップは、入力手段２４と表示手段２２とを使用して、表示手段２２に対して制御手段２１の制御の基に送信確認画面を表示させ、その送信確認画面を表示させた後に、送信確認入力が入力手段２４によりなされたことを確認したから送信するように制御手段２１によって制御されるように構成することもできる。
【００４７】
待機状態にあるサーバ１が、携帯電話機２０から当たりの抽選結果データ及び着信先データ並びに送信先データ、さらに抽選ゲームプログラムの識別情報を受信したことを、制御手段２が判定プログラムに基づいて当たり着信があったこと判定すると（ステップＳ１８：Ｙ）、その抽選ゲームプログラムの識別情報に基づいくその時点の景品在庫確認を、制御手段２がデータベース６に記憶した景品在庫を参照して、記憶手段としての記憶部４に記憶された在庫確認プログラム基づいて実行する（ステップＳ１９）。在庫確認の結果で在庫が存在しなかった場合には、後の景品選択処理において、粗品程度の景品を選択処理する。
【００４８】
次に、制御手段２は、記憶部４に記憶された景品選択プログラムに基づいて、データベース６の景品在庫を参照して使用者に提供する景品を選択処理する（ステップＳ２０）。
【００４９】
一方、データベース５に対して、制御手段２の制御の基で記憶部４のプログラムに応じて、個人データとしての当った景品の種類や品番や、その当った景品に関連づけて前記着信先データとを記憶する処理を実行する（ステップＳ２１）。
【００５０】
そして、制御手段２は、記憶部４に記憶された統計データ生成プログラムに基づいて、データベース５を参照して過去の所定の期間に当った景品数や、前の所定の期間に当った景品数や、他の携帯電話機２０の使用者との当り数のランキング、或いは占い結果などを演算処理して、抽選結果加工データとして編集表示するための画像データを生成して記憶手段としてのＲＡＭ２６に記憶する（ステップＳ２２）。
【００５１】
また、制御手段２は、その当った携帯電話機２０に対して、着信先に当った景品を知らせて良いかどうかを通知するための着信先送信確認画面データの生成処理を実行し、この生成された着信先送信確認画面データをＲＡＭ２６に記憶する（ステップＳ２３）。
【００５２】
このステップＳ２３に続いて、制御手段２は、記憶部４に記憶された抽選結果送信プログラムに基づいて、通信インターフェース３，通信網１０，基地局１１とを介して、データベース５に記憶された携帯電話番号に、着信先送信確認画像データと当たり景品通知画像データと、抽選結果加工データとを送信処理する（ステップＳ２４）。
【００５３】
ステップＳ２４において、着信先送信確認画像データと当たり景品通知画像データと、抽選結果加工データが携帯電話機２０に制御手段２１の制御の基で受信されると、その受信されたデータはＲＡＭ２６に記憶処理される（ステップＳ２５）。
【００５４】
そして、ＲＡＭ２６から制御手段２１が前記当たり景品通知画像データに基づいて表示手段２２に当たり景品を表示する（ステップＳ２６）。
【００５５】
その後、当たり景品が確認されたことを制御手段２１が入力手段２４の確認入力によって判定すると（ステップＳ２７：Ｙ）、前記抽選結果加工データに基づいて制御手段２１が表示手段２２に抽選結果加工データを表示する（ステップＳ２８）。この加工データとは、過去のその使用者又は他の携帯電話機２０の使用者の抽選ゲームプログラムにおける当選履歴データを使用して、過去の所定の期間に当った景品数や、前の所定の期間に当った景品数や、他の携帯電話機２０の使用者との当り数のランキング、或いは占い結果などの形で表示されるデータである。
【００５６】
前記加工データを用いた統計的画面表示がなされ、その表示を使用者が確認したことを制御手段２１が入力手段２４の確認入力によって判定すると（ステップＳ２９：Ｙ）、前記着信先送信確認画像データに基づいて、制御手段２１が着信先への通知確認画面表示を表示手段２２を用いて行う（ステップＳ３０）。この着信先送信確認画像データには、着信先の電話番号が含まれており、制御手段２１はＲＯＭ２５に記憶されたシステムプログラムによって、この着信先が携帯電話機２０の記憶手段に記憶されたアドレスデータベースに存在する場合には、その表示を電話番号として行うのではなく、文字に変換して表示手段２２に表示するように制御する。つまり、着信先送信確認画像データに基づく表示とは、「当たった景品は、電話番号「０９０−○×−××△○」の方との通話で当たりました。その電話番号に当たったことを通知しますか？」といった表示文字メッセージ表示であったり、「当たった景品は、山田さまとの通話で当たりました。山田さまに当たったことを通知しますか？」といった表示文字メッセージ表示である。
【００５７】
制御手段２１が通知することを容認する入力が入力手段２４によりなされたことを判定すると（ステップＳ３１：Ｙ）、着信先通知メッセージ選択画面表示を表示手段２２により実行する（ステップＳ３２）。この着信先通知メッセージ選択画面表示は、着信先送信確認画像データに含まれる着信先通知メッセージ選択画像データに基づいて行われるようにしているが、これに限らず、着信先通知メッセージ選択画像データを抽選ゲームプログラムに含まれるように構成することもできる。ステップＳ３１において、通知を拒否する入力が入力手段２４によりなされたことを制御手段２１が判定すると、サーバ１との接続を断って、着信待機状態に戻るように制御手段２１が制御する。
【００５８】
ステップＳ３２において、使用者が入力手段２４によって通知する複数パターンのメッセージの中から一つのメッセージを選択入力してことを制御手段２１が判定すると、サーバ１に対して制御手段２１が着信先への通知処理を実行した後（ステップＳ３３）、サーバ１との接続を制御手段２１が自動的に断って着信待機状態に移る。この通知処理とは、選択されたメッセージの識別情報とその携帯電話機を識別するための電話番号を通知データとして生成する処理である。
【００５９】
前記通知データとして通知信号を受信したことをサーバ１の制御手段２が判定すると（ステップＳ３４：Ｙ）、選択されたメッセージの識別情報に対応する音声データを記憶手段としての記憶部４から抽出して、着信先通知情報を生成する処理を制御手段２が実行する（ステップＳ３５）。
【００６０】
次に、生成された着信先通知情報を制御手段２が着信先へ通知する（ステップＳ３６）。
【００６１】
通知したことを記録するために、通信した時間や通信先とを通信ログとして、データベース５の送信先（当たった使用者）に関連付けて制御手段２が記憶処理する（ステップＳ３７）。
【００６２】
【発明の効果】
以上説明したこの発明によれば、携帯電話機の抽選ゲームプログラムによって当たりなどの遊技者にとって有利抽選結果となった場合に、その契機となった着信先にその抽選結果そのもの又はそのゲーム結果に因んだ情報を所定のメッセージとして通知することができるから、新たな興趣を提供することができる。また、着信先にもその結果を報知するようにして、新たな人的コミュニケーションを構築することができる。
【図面の簡単な説明】
【図１】この発明に係るゲームプログラムを具備する携帯電話機及び当該携帯電話機で実行されるゲーム結果に応じたサービス提供サーバ並びにサービス提供方法を適用したシステム構成図である。
【図２】図１に示す携帯電話機のハードブロック図である。
【図３】図１に示すサーバのハードブロック図である。
【図４】抽選ゲームプログラムに基づく処理の流れを説明するためのフロー図である。
【図５】抽選ゲームプログラムに基づく処理の流れを説明するためのフロー図である。
【図６】抽選ゲームプログラムに基づく処理の流れを説明するためのフロー図である。
【符号の説明】
１        サーバ
６        スポンサーデータベース
１０      インターネット網
２０      携帯電話機
２２      表示手段
２４      入力手段
【図１】
2005005936.tif 000003
【図２】
2005005936.tif 000004
【図３】
2005005936.tif 000005
【図４】
2005005936.tif 000006
【図５】
2005005936.tif 000007
【図６】
2005005936.tif 000008